(57)【要約】【課題】家具の高さ位置を調節できるように脚柱の長さを調節可能にされる家具の脚柱構造において、脚柱の長さを調節するに際しての作業性を向上させることにある。【解決手段】回動レバー５５が押圧位置Ｔ１で当接球５２を押圧する場合には、当接球５２は被押圧部４３に対し嵌り込んだ状態で被押圧部４３を押圧する。これにより、挿し込み状態の内筒４１は外筒３１に対して押圧固定することができる。また逆に、回動レバー５５が押圧解除位置で当接球５２の押圧を解除している場合には、当接球５２は貫通窓３３を通じて外筒３１内から外筒３１外に出ることとなる。これにより、挿し込み状態の内筒４１は外筒３１に対して規制されるものが無くなった移動可能状態とすることができる。ここで、回動レバー５５が押圧位置Ｔ１と押圧解除位置との間を切り替えるには、レバー操作のように押下げ回動または引上げ回動させることによるものとなっている。【選択図】図５
2011004789.tif 000002
【特許請求の範囲】
【請求項１】
家具の高さ位置を調節できるように、この家具の脚柱の長さを調節可能とする家具の脚柱構造であって、
前記脚柱は、筒状に構成される外筒と、該脚柱の長さを決めるに際し該外筒の内に挿し込まれ該外筒に対する相対的な位置が決められる内筒と、該外筒外に設けられ該外筒に支持され且つ該外筒に対し位置決めされた該内筒を押圧固定する内筒固定機構とを備え、
前記外筒には、該外筒内に存する前記内筒の挿し込み部分を該外筒外から前記内筒固定機構にて押圧固定するための貫通窓が設けられており、
前記内筒には、前記内筒固定機構が前記貫通窓から該内筒の挿し込み部分を押圧固定するに際して押圧される個所となる被押圧部が挿し込み方向に複数設けられており、
前記内筒固定機構は、前記貫通窓から前記外筒内に出入り可能に設けられ前記被押圧部に当接する当接部材と、該当接部材を該被押圧部に押圧する押圧位置と該当接部材の該被押圧部への押圧を解除する押圧解除位置との間で位置切替え可能に移動する位置切替押圧部材とを備え、
前記位置切替押圧部材が前記押圧位置で前記当接部材を押圧する場合には、該当接部材は前記被押圧部に対し嵌り込んだ状態で該被押圧部を押圧することによって挿し込み状態の前記内筒を前記外筒に対して固定し、
前記位置切替押圧部材が前記押圧解除位置で前記当接部材の押圧を解除している場合には、該当接部材は前記貫通窓を通じて前記外筒内から該外筒外に出ることによって挿し込み状態の前記内筒を該外筒に対して移動可能状態とすることを特徴とする家具の脚柱構造。
【請求項２】
請求項１に記載の家具の脚柱構造において、
前記当接部材は、球体で形成される当接球にて構成され、
前記被押圧部は、前記当接球の球体形状に対応した曲面形状を有して構成され、
前記位置切替押圧部材は、回動可能に前記外筒に支持され且つ回動することにより前記押圧位置と前記押圧解除位置との間の位置を切り替える回動レバーにて構成され、
前記回動レバーが前記押圧位置に位置することにより前記当接球を押圧している場合には、該当接球は前記被押圧部に対し嵌り込んだ状態で該被押圧部を押圧することによって挿し込み状態の前記内筒を前記外筒に対して固定し、
前記回動レバーが前記押圧解除位置に位置することにより前記当接球の押圧を解除している場合には、該回動レバーと該当接球との間には該当接球が逃げれる逃げ空間が形成され、該当接球は前記貫通窓から該逃げ空間に逃げることにより該当接球は前記外筒内から該外筒外に出て、挿し込み状態の前記内筒を該外筒に対して移動可能状態とすることを特徴とする家具の脚柱構造。
【請求項３】
請求項２に記載の家具の脚柱構造において、
前記回動レバーは、前記当接球を押圧するに際し該当接球と対面する対面部位を備え、
前記回動レバー内には、螺合状態で埋没し且つ螺子回しすることにより前記対面部位から出没する虫螺子が配設されており、
前記当接球を押圧する前記回動レバーの押圧力は、前記対面部位から突出する虫螺子端部の突出量にて調整可能となっていることを特徴とする家具の脚柱構造。
【請求項４】
請求項２または請求項３に記載の家具の脚柱構造において、
前記回動レバーは、押下げ方向で回動させることにより前記押圧位置に位置し、且つ引上げ方向で回動させることにより前記押圧解除位置に位置するようになっており、
前記回動レバーが前記押圧位置に位置している場合には、前記当接球を押圧する際の該回動レバーの押圧部は、前記外筒により回動可能に支持される該回動レバーの回動支持点より上方に位置するように設定されており、
前記回動レバーが前記当接球を押圧している場合には、この押圧による該当接球からの反力が、前記回動レバーを押下げ方向に回動させるように、前記回動レバーの前記押圧部に対して作用することを特徴とする家具の脚柱構造。
【発明の詳細な説明】
【技術分野】
【０００１】
本発明は、椅子や机に代表される家具の脚柱構造に関する。詳しくは、本発明は、例えば椅子の座の高さや机の天板の高さ等、家具の高さ位置を調節できるように脚柱の長さを調節可能にされる家具の脚柱構造に関する。
【背景技術】
【０００２】
従来、例えば、学童が学校等で利用する椅子や机にあっては、学童が着座する椅子の座の高さや、教科書を載せる机の天板の高さを調節できるように構成されるものが知られている（例えば、下記特許文献１参照）。下記特許文献１にて開示される椅子や机は、上記したように座や天板の高さ位置を調節できるように、これら座や天板を支持する脚柱の長さを伸縮するように調節できるようになっている。このように脚柱の長さを調節できると、学童の背丈に合わせて座や天板の高さ位置を調節することができて、年齢により背丈の異なるような学童に幅広く適応して利用することができる。
ところで、下記特許文献１にて開示される脚柱構造は、上下で２分割され、長さ方向で挿し込んで連結し、この脚柱の長さを伸縮させるようにしていた。具体的には、内筒で形成される上脚柱を、外筒で形成される下脚柱に対して挿し込み、適宜の相対位置で互いを固定し脚柱の長さを調節するようになっている。
ここで、下記特許文献１にて開示される脚柱構造は、下脚柱に挿し込んだ上脚柱をガタつきなく固定するために、長さ方向の２点で支持固定するロック金具と、このロック金具を固定するためのボルトとを用いている。
【先行技術文献】
【特許文献】
【０００３】
【特許文献１】特開平１０−３１３９５１
【発明の概要】
【発明が解決しようとする課題】
【０００４】
しかしながら、上記した脚柱構造にあっては、ロック金具とボルトとを用いて固定するため、脚柱の長さを調節する具体的な手順としては次のようになる。すなわち、作業者は、螺子止めされているボルトを外し、ロック金具を取り外し、さらに上脚柱と下脚柱との相対位置を決めした後に再びロック金具を取り付け、再びボルトを螺子止めする、という手順となる。ここで、ロック金具やボルトは、上記した上脚柱および下脚柱から取り外される部材である。これに加え、ボルトの外し作業や螺子止め作業は、レンチ等を用いて行う回し作業となっている。このため、このような脚柱の長さ調節作業は、煩雑な作業であるとの指摘があった。特に、この脚柱の長さ調節作業の問題は、学校のクラス内の椅子や机を一斉に行う場合において、より顕著な問題となってくる。
【０００５】
本発明は、このような事情に鑑みなされたものであって、本発明が解決しようとする課題は、家具の高さ位置を調節できるように脚柱の長さを調節可能にされる家具の脚柱構造において、上脚柱と下脚柱との相対位置を決めて互いを固定する作業を簡単にすることができ、脚柱の長さを調節するに際しての作業性を向上させることにある。
【課題を解決するための手段】
【０００６】
上記した課題を解決するにあたって、本発明に係る家具の脚柱構造は、次の手段を採用する。
すなわち、本発明の第１の発明に係る家具の脚柱構造は、家具の高さ位置を調節できるように、この家具の脚柱の長さを調節可能とする家具の脚柱構造であって、前記脚柱は、筒状に構成される外筒と、該脚柱の長さを決めるに際し該外筒の内に挿し込まれ該外筒に対する相対的な位置が決められる内筒と、該外筒外に設けられ該外筒に支持され且つ該外筒に対し位置決めされた該内筒を押圧固定する内筒固定機構とを備え、前記外筒には、該外筒内に存する前記内筒の挿し込み部分を該外筒外から前記内筒固定機構にて押圧固定するための貫通窓が設けられており、前記内筒には、前記内筒固定機構が前記貫通窓から該内筒の挿し込み部分を押圧固定するに際して押圧される個所となる被押圧部が挿し込み方向に複数設けられており、前記内筒固定機構は、前記貫通窓から前記外筒内に出入り可能に設けられ前記被押圧部に当接する当接部材と、該当接部材を該被押圧部に押圧する押圧位置と該当接部材の該被押圧部への押圧を解除する押圧解除位置との間で位置切替え可能に移動する位置切替押圧部材とを備え、前記位置切替押圧部材が前記押圧位置で前記当接部材を押圧する場合には、該当接部材は前記被押圧部に対し嵌り込んだ状態で該被押圧部を押圧することによって挿し込み状態の前記内筒を前記外筒に対して固定し、前記位置切替押圧部材が前記押圧解除位置で前記当接部材の押圧を解除している場合には、該当接部材は前記貫通窓を通じて前記外筒内から該外筒外に出ることによって挿し込み状態の前記内筒を該外筒に対して移動可能状態とすることを特徴とする。
【０００７】
この家具の脚柱構造によれば、位置切替押圧部材が押圧位置で当接部材を押圧する場合には、当接部材は被押圧部に対し嵌り込んだ状態で被押圧部を押圧することによって挿し込み状態の内筒を外筒に対して固定するので、位置切替押圧部材を押圧位置に位置させるだけで、挿し込み状態の内筒を外筒に対して固定することができる。また逆に、位置切替押圧部材が押圧解除位置で当接部材の押圧を解除している場合には、当接部材は貫通窓を通じて外筒内から外筒外に出ることによって挿し込み状態の内筒を外筒に対して移動可能状態とするので、位置切替押圧部材を押圧解除位置に位置させるだけで、挿し込み状態の内筒を外筒に対して移動可能状態とすることができる。
これによって、位置切替押圧部材を、上記した押圧位置あるいは押圧解除位置に位置させるように切替え移動するだけで、ロック金具の取外しおよび取付けをすることなく、ボルトを螺子外しおよび螺子止めをすることなく、外筒に対して挿し込み状態の内筒を固定したりあるいは移動可能状態としたりすることができる。また、位置切替押圧部材は、ロック金具やボルトのように取外すことなく切替え移動するだけで、外筒に対して挿し込み状態の内筒を固定したりあるいは移動可能状態としたりすることができるので、取外し後の部材管理の必要もなくなる。
したがって、この家具の脚柱構造によれば、内筒と外筒との相対位置を決めて互いを固定する作業を、位置切替押圧部材の位置の切替え移動だけと簡単なものにすることができ、脚柱の長さを調節するに際しての作業性を向上させることができる。
【０００８】
第２の発明に係る家具の脚柱構造は、前記第１の発明に係る家具の脚柱構造において、前記当接部材は、球体で形成される当接球にて構成され、前記被押圧部は、前記当接球の球体形状に対応した曲面形状を有して構成され、前記位置切替押圧部材は、回動可能に前記外筒に支持され且つ回動することにより前記押圧位置と前記押圧解除位置との間の位置を切り替える回動レバーにて構成され、前記回動レバーが前記押圧位置に位置することにより前記当接球を押圧している場合には、該当接球は前記被押圧部に対し嵌り込んだ状態で該被押圧部を押圧することによって挿し込み状態の前記内筒を前記外筒に対して固定し、前記回動レバーが前記押圧解除位置に位置することにより前記当接球の押圧を解除している場合には、該回動レバーと該当接球との間には該当接球が逃げれる逃げ空間が形成され、該当接球は前記貫通窓から該逃げ空間に逃げることにより該当接球は前記外筒内から該外筒外に出て、挿し込み状態の前記内筒を該外筒に対して移動可能状態とすることを特徴とする。
【０００９】
この家具の脚柱構造によれば、位置切替押圧部材は、回動可能に外筒に支持され且つ回動することにより押圧位置と押圧解除位置との間の位置を切り替える回動レバーにて構成されているので、回動させるだけで、上記した押圧位置と押圧解除位置との間を切り替えることができる。これによって、上記した押圧位置と押圧解除位置との間で切り替えるのを回動による簡単なものとすることができ、作業性を向上させる。
また、この家具の脚柱構造によれば、当接部材は球体で形成される当接球にて構成され、被押圧部は当接球の球体形状に対応した曲面形状を有して構成されているので、当接球が被押圧部に対し嵌り込んだ状態で被押圧部を押圧した場合には、回動レバーにて押圧される押圧力は、曲面法線方向に向かってかかることとなる。すなわち、当接球を介して回動レバーにより被押圧部を押圧するにあたって、この押圧を上下左右方向に拡げて押圧することができる。これによって、外筒に対して挿し込み状態の内筒を固定するにあたって、この挿し込み状態の内筒を上下左右方向に拡げた押圧により安定的に固定することができる。
また、この家具の脚柱構造によれば、回動レバーが押圧解除位置に位置することにより当接球の押圧を解除している場合には、回動レバーと当接球との間には当接球が逃げれる逃げ空間が形成されているので、球体で形成される当接球は貫通窓から逃げ空間に逃げるにあたって転がって逃げ易くなる。これによって、回動レバーを押圧解除位置に位置させた場合には、当接球が外筒内から外筒外に出易くして、挿し込み状態の内筒を外筒に対して簡単に移動可能状態とすることができる。
【００１０】
第３の発明に係る家具の脚柱構造は、前記第２の発明に係る家具の脚柱構造において、前記回動レバーは、前記当接球を押圧するに際し該当接球と対面する対面部位を備え、前記回動レバー内には、螺合状態で埋没し且つ螺子回しすることにより前記対面部位から出没する虫螺子が配設されており、前記当接球を押圧する前記回動レバーの押圧力は、前記対面部位から突出する虫螺子端部の突出量にて調整可能となっていることを特徴とする。
この家具の脚柱構造によれば、回動レバー内には螺合状態で埋没し且つ螺子回しすることにより対面部位から出没する虫螺子が配設されており、当接球を押圧する回動レバーの押圧力は対面部位から突出する虫螺子端部の突出量にて調整可能となっているので、上記したように回動レバーが当接球を介して被押圧部を押圧するにあたっての押圧力を、虫螺子の螺子回し配置調整によって調整することができる。これによって、虫螺子を螺子回し配置調整を行うだけで、回動レバーの押圧力の調整を簡単に行うことができる。したがって、大量生産時において回動レバーの回動精度にバラつきが生じ易くなってしまう場合でも、虫螺子の螺子回し配置調整によって、回動レバーの押圧力を適切な押圧力とするように簡単に調整することができる。
【００１１】
第４の発明に係る家具の脚柱構造は、前記第２または前記第３の発明に係る家具の脚柱構造において、前記回動レバーは、押下げ方向で回動させることにより前記押圧位置に位置し、且つ引上げ方向で回動させることにより前記押圧解除位置に位置するようになっており、前記回動レバーが前記押圧位置に位置している場合には、前記当接球を押圧する際の該回動レバーの押圧部は、前記外筒により回動可能に支持される該回動レバーの回動支持点より上方に位置するように設定されており、前記回動レバーが前記当接球を押圧している場合には、この押圧による該当接球からの反力が、前記回動レバーを押下げ方向に回動させるように、前記回動レバーの前記押圧部に対して作用することを特徴とする。
この家具の脚柱構造によれば、回動レバーが押圧位置に位置している場合には、当接球を押圧する際の回動レバーの押圧部は、外筒により回動可能に支持される回動レバーの回動支持点より上方に位置するように設定されているので、回動レバーが当接球を押圧している場合の押圧による当接球からの反力は、回動レバーを押下げ方向に回動させるように回動レバーの押圧部に対して作用することとなる。ここで、回動レバーは、押下げ方向で回動させることにより押圧位置に位置し、且つ引上げ方向で回動させることにより押圧解除位置に位置するようになっているので、上記した当接球からの反力によって、回動レバーは押圧位置に位置するように付勢されることとなる。
これによって、この家具の脚柱構造によれば、回動レバーを押圧位置に位置させている場合には、回動レバーは当接球からの反力によって押圧位置に位置するように付勢され、この押圧位置に回動レバーを安定的に位置させることができる。
【発明の効果】
【００１２】
第１の発明に係る家具の脚柱構造によれば、内筒と外筒との相対位置を決めて互いを固定する作業を、位置切替押圧部材の位置の切替え移動だけと簡単なものにすることができ、脚柱の長さを調節するに際しての作業性を向上させることができる。
第２の発明に係る家具の脚柱構造によれば、押圧位置と押圧解除位置との間の切替え移動を回動による簡単なものとすることができ作業性を向上させ、回動レバーが押圧位置に位置している場合には挿し込み状態の内筒を上下左右方向に拡げた押圧により安定的に固定することができ、回動レバーが押圧解除位置に位置している場合には当接球が外筒内から外筒外に出易くして挿し込み状態の内筒を外筒に対して簡単に移動可能状態とすることができる。
第３の発明に係る家具の脚柱構造によれば、大量生産時において回動レバーの回動精度にバラつきが生じ易くなってしまう場合でも、虫螺子の螺子回し配置調整によって、回動レバーの押圧力を適切な押圧力とするように簡単に調整することができる。
第４の発明に係る家具の脚柱構造によれば、回動レバーを押圧位置に位置させている場合には、回動レバーは当接球からの反力によって押圧位置に位置するように付勢され、この押圧位置に回動レバーを安定的に位置させることができる。
【図面の簡単な説明】
【００１３】
【図１】家具としての一例である学童用椅子を示す斜視図である。
【図２】図１に示す学童用椅子の脚柱構造を組付け状態で示す組付け斜視図である。
【図３】図２に示す学童用椅子の脚柱構造を分解状態で示す分解斜視図である。
【図４】図２に示す脚柱構造のうち、外嵌カバーを外した学童用椅子の脚柱構造を示す斜視図である。
【図５】図４における脚柱構造のうち、Ｖ−Ｖ断面矢視を示す脚柱構造断面図である。
【図６】脚柱の長さ固定状態から脚柱の長さ変更可能状態となった場合の図４におけるＶ−Ｖ断面矢視を示す脚柱構造断面図である。
【図７】図５に示す脚柱構造断面図のうち、当接球の押圧状態を詳細に示す拡大断面図である。
【発明を実施するための形態】
【００１４】
以下、本発明を実施するための実施の形態について、図面を参照しながら説明する。
図１は、家具としての一例である学童用椅子１０を示す斜視図である。図１に示す学童用椅子１０は、学校等にて学童が利用するものである。この学童用椅子１０は、概略、床面に対して立設状態となる脚２０と、この脚２０にて支持される座７０および背凭れ８０を備え、構成される。なお、座７０は、学童が着座する部分である。背凭れ８０は、背凭れ本体８１と連結部８２とにより構成され、着座した学童が後ろ側に凭れる部分である。
【００１５】
この学童用椅子１０を構成する脚２０は、図１に示すように、概略、床面に接面する接面脚２１と、この接面脚２１から鉛直方向に延びて座７０を支持する２本の脚柱３０，３０とを備える。
接面脚２１は、床面に安定的に載置するためにＨ字型に組まれている。この接面脚２１の４隅には、床面と接面する接面具２２，２３，２４，２５が設けられている。このように４隅に接面具２２，２３，２４，２５が設けられた接面脚２１は、床面に接面支持される。
この接面脚２１にて支持される２本の脚柱３０，３０は、この接面脚２１の両サイド中間部２６，２７から鉛直上方向に延びるように設けられている。なお、この脚柱３０，３０は、双方、同一に構成されるものであるため、以下において説明する脚柱３０の構造は、一本の脚柱３０のみを取り上げ、説明する。
【００１６】
脚柱３０は、学童用椅子１０の高さ位置を調節することができるように構成される。具体的には、脚柱３０は、学童用椅子の座７０および背凭れ８０の高さ位置を調節することができるように、この脚柱３０自体の長さを調節可能に構成される。
図２は、図１に示す学童用椅子１０の脚柱３０の構造を組付け状態で示す組付け斜視図である。図３は、図２に示す学童用椅子１０の脚柱３０の構造を分解状態で示す分解斜視図である。図４は、図２に示す脚柱３０の構造のうち、外嵌カバー５７を外した学童用椅子１０の脚柱３０の構造を示す斜視図である。図５は、図４における脚柱３０の構造のうち、Ｖ−Ｖ断面矢視を示す脚柱３０の構造断面図である。図６は、脚柱３０の長さ固定状態から脚柱３０の長さ変更可能状態となった場合の図４におけるＶ−Ｖ断面矢視を示す脚柱３０の構造断面図である。
【００１７】
すなわち、脚柱３０は、図２および図３に示すように、概略、下脚柱を構成する外筒３１と、上脚柱を構成する内筒４１と、これら外筒３１と内筒４１とを連結するために用いられる内筒固定機構５１とを備えて構成される。
外筒３１は、図３に示すような筒状に形成されるものであり、長さ方向交差断面が、一対の対向辺を円弧状とする丸角略長方形状にて形成されている。この外筒３１は、図１に示すように下部３１ａが上記した接面脚２１のサイド中間部２６に対して適宜の溶接にて取り付けられており、図３に示すように上部３１ｂは内筒４１が挿し込まれる開口部３２にて形成されている。また、この外筒３１の開口部３２近傍には、この外筒３１の内外を貫通する貫通窓３３が設けられている。この貫通窓３３は、外筒３１内に存する内筒４１の挿し込み部分４１ｃ（図５等参照）を、外筒３１外から内筒固定機構５１にて押圧固定するために設けられるものであり、後に説明する当接部材としての当接球５２が外筒３１内外に出入りすることできる程度の大きさを有して形成される。
なお、上記した開口部３２には、開口部３２に挿し込まれる内筒４１を介在支持するための樹脂製介在部材６１が嵌められている。この樹脂製介在部材６１は、外筒３１の開口部３２の内周形状と合致する外周形状を有するとともに、内筒４１の挿し込み部分４１ｃの外周形状と合致する内周形状を有して形成される。また、この樹脂製介在部材６１には、外筒３１と内筒４１の繋ぎ目を埋めるように設けられる外フランジ部６２が設けられている。このように形成される樹脂製介在部材６１は、外筒３１に対して内筒４１を隙間なくスムーズに挿し込むことができ、さらに外フランジ部６２にて外筒３１と内筒４１の繋ぎ目の外観意匠も高める。また、樹脂製介在部材６１は、上記した外筒３１と同様に機能させるために、図３に示すように、外筒３１に形成された貫通窓３３の形状と合致する貫通部６３が設けられている。
【００１８】
内筒４１は、上記した外筒３１の開口部３２から内に挿し込まれるものである。この内筒４１は、開口部３２から挿し込まれる挿し込み部分４１ｃの長さによって、外筒３１に対する相対的な位置が決められるようになっており、もって脚柱３０の長さを決めることができるものとなっている。
内筒４１は、図３に示すように、上記した外筒３１と同様の筒状に形成されるものであり、この内筒４１の筒状断面も、一対の対向辺を円弧状とする略長方形状にて形成されている。この内筒４１の上部４１ａ（図１参照）は、詳細を図示していないが、上記した座７０に対して適宜のボルト結合にて取り付けられている。また、この内筒４１の下部４１ｂは、図３に示すように、上記した外筒３１の開口部３２に挿し込む挿し込み側となっており、この開口部３２から外筒３１に挿し込まれる部分が、内筒４１の挿し込み部分４１ｃとして設定される。つまり、挿し込み部分４１ｃは、この外筒３１に対する内筒４１の挿し込み量にて決められる。なお、内筒４１は、外筒３１および樹脂製介在部材６１内に挿し込まれる。
ところで、この内筒４１には、外筒３１に設けられた貫通窓３３から内筒固定機構５１により挿し込み部分４１ｃを押圧固定する際の被押圧部４３が設けられている。被押圧部４３は、上記したように、外筒３１に対する相対的な位置が決められた内筒４１を固定するに際し、内筒固定機構５１にて押圧される個所である。このため、この被押圧部４３は、外筒３１に設けられた貫通窓３３に沿うように、内筒４１のうち外筒３１の貫通窓３３が設けられる側の対向側に、この内筒４１の挿し込み方向に沿って等間隔複数で設けられている。この被押圧部４３は、図３等にも示すように、後に説明する当接部材としての当接球５２の球体形状に対応した曲面形状を有して構成されている。そして、後に詳述するが、被押圧部４３が内筒固定機構５１にて押圧されることによって、内筒４１は外筒３１に対して固定される。
【００１９】
内筒固定機構５１は、外筒３１に対し位置決めされた内筒４１を押圧固定するものである。この内筒固定機構５１は、図２および図４に示すように、外筒３１外に設けられるものであって、この外筒３１に支持されるようにして配設されている。具体的には、内筒固定機構５１は、図３にも示すように、概略、当接部材としての当接球５２と、外筒３１に固定接合される支持ブラケット５３と、この支持ブラケット５３にて支持される回動軸５４と、この回動軸５４にて回動可能に支持される位置切替押圧部材としての回動レバー５５と、この回動レバー５５内に埋没するように配設される虫螺子５６と、外嵌カバー５７とを備える。
当接球５２は、上記したように、貫通窓３３から外筒３１内外に出入り可能に設けられるものであり、内筒４１の被押圧部４３に当接する部材である。この当接球５２は、図示するように球体で形成される。この当接球５２は、後にも詳述するが、回動レバー５５にて押圧されている場合には、被押圧部４３に対し嵌り込んだ状態となるものであり、この嵌り込んだ状態で被押圧部４３を押圧するようになっている。なお、後に詳述するが、当接球５２が、この被押圧部４３に対して嵌り込んだ状態で押圧している場合には、内筒４１は外筒３１に対して相対移動が規制された状態となる。
つまり、被押圧部４３を含む内筒４１は、当接球５２を含む内筒固定機構５１にて、相対移動が規制されるように押圧固定され、もって、この内筒固定機構５１が固定配設される外筒３１に対して、相対移動が規制されるような固定された関係となる。これに対して、回動レバー５５にて当接球５２を押圧していない場合には、後に図６に示して詳述するが、回動レバー５５と当接球５２との間には当接球５２が逃げれる逃げ空間Ｓが形成され、貫通窓３３から当接球５２が逃げ空間Ｓに逃げることにより、当接球５２は外筒３１内から外筒３１外に出ることとなる。このように当接球５２が外筒３１外に出てる場合には、外筒３１に対する挿し込み状態の内筒４１相対移動動は規制されないものとなって、内筒４１は挿し込み方向あるいは挿し込み反対方向（外し方向）に移動可能状態となる。
なお、貫通窓３３（外筒３１）および貫通部６３（樹脂介在部材６１）は、当接球５２の上下移動を規制する構造を有している。また、被押圧部４３は、曲面構造を有している。このため、内筒４１を外筒３１に対して上下に僅かに相対移動させた場合、当接球５２は、外筒３１に対して上下移動せず、被押圧部４３の傾斜曲面に案内され、被押圧部４３から逃げ空間Ｓに自動的に押し出されるように逃がされるものとなっている。
【００２０】
支持ブラケット５３は、図３および図４に示すように、スポット溶接等により外筒３１に対して固定接合されるものである。この支持ブラケット５３は、外筒３１に接合される接合部５３１と、接合部５３１から突設される支持部５３２，５３２とを備える。接合部５３１は、上記した貫通窓３３の周辺形状に合わせた形状を有して形成され、外筒３１に対して接合される部分となっている。この接合部５３１には、外筒３１の貫通窓３３と連通するように設けられる連通窓５３３が設けられている。また、支持部５３２，５３２のそれぞれには、回動軸５４を支持するための支持孔５３４，５３５が設けられている。なお、これらの支持孔５３４，５３５のうち、一方の支持孔５３４の内径は、他方の支持孔５３５の内径に比して拡大したものとなっており、これらの支持孔５３４，５３５に回動軸５４を挿通するにあたって、これらの支持孔５３４，５３５に対し一方向から挿通させるに有利な構造となっている。
回動軸５４は、回動レバー５５の軸支孔５５１に挿通された状態で支持ブラケット５３の支持孔５３４，５３５に挿通するものである。この回動軸５４は、支持孔５３４，５３５にて回動支持されることにより、もって回動レバー５５を回動支持する。また、この軸支孔５５１（回動レバー５５）や支持孔５３４，５３５（支持ブラケット５３）に挿通された状態の回動軸５４は、後に説明する外嵌カバー５７にて、抜け止めされることとなっている。なお、この回動軸５４には、回動レバー５５内に埋没するように配設される虫螺子５６を挿通させるための虫螺子挿通孔５４１が設けられている。
【００２１】
回動レバー５５は、回動可能に外筒３１に支持されるものであり、当接球５２を被押圧部４３に押圧する押圧位置Ｔ１と、当接球５２の被押圧部４３への押圧を解除する押圧解除位置Ｔ２との間で、回動することにより位置切替え可能に移動するものである。具体的には、回動レバー５５は、上記した回動軸５４にて回動可能に支持されるものであり、押下げ方向Ｄ１で回動させることによって図５に示す押圧位置Ｔ１に位置したり、引上げ方向Ｄ２で回動させることにより図６に示す押圧解除位置Ｔ２に位置したりするように、位置切替え可能となっている。なお、後にも詳述するが、回動レバー５５が押圧位置Ｔ１に位置する場合には、回動レバー５５は当接球５２を押圧し、回動レバー５５が押圧解除位置Ｔ２に位置する場合には、回動レバー５５は当接球５２の押圧を解除する。
具体的な構成としては、この回動レバー５５は、側面視略涙型のレバー形状を有して形成され、一端５５ａ側（図３に示す上側）は回動軸５４を挿通させるための軸支孔５５１が設けられている。このため、この回動レバー５５の一端５５ａ側（図３に示す上側）は回動軸支側として機能するようになっており、この回動レバー５５の他端５５ｂ側（図３に示す下側）は操作する際の回動側として機能するようになっている。なお、この他端５５ｂ側は、回動させる際に把持し易いように平面部分を有して形成されている。また、この回動側となる他端５５ｂ側には、引掛け溝５５２が設けられている。この引掛け溝５５２は、回動レバー５５を引上げ方向Ｄ２（図６参照）で回動させたい場合に、マイナスドライバーが挿し込まれる個所に設定されており、挿し込んだマイナスドライバーによって引上げ操作を有利に行うことができるものとなっている。
【００２２】
図７は、図５に示す脚柱３０の構造断面図のうち、当接球５２の押圧状態を詳細に示す拡大断面図である。
この回動レバー５５の軸支側となる一端５５ａ側には、上記した押圧位置Ｔ１（図５参照）と押圧解除位置Ｔ２（図６参照）との間で回動させることによって位置を切り替えた場合に、上記した当接球５２と対面する対面部位５５３が設けられている。
具体的には、図７にも示すように、対面部位５５３は、当接球５２を押圧するに際して回動レバー５５が押圧位置Ｔ１に位置している場合に当接球５２と対面する第一対面部位５５３ａ（図５参照）と、回動レバー５５が押圧解除位置Ｔ２に位置している場合に当接球５２と対面する第二対面部位５５３ｂ（図６参照）とを備える。これら第一対面部位５５３ａおよび第二対面部位５５３ｂは、当接球５２の球体形状に対応した曲面凹溝状に形成されるものであり、これら第一対面部位５５３ａと第二対面部位５５３ｂとの間も、当接球５２をガイドするような曲面凹溝状にて連なっている。
ところで、この回動レバー５５には、図７にも示すように、螺合状態で埋没するように虫螺子５６が配設されている。この虫螺子５６は、図示するように頭部の無い略長細円筒形状を有する。この虫螺子５６は、雄螺子として機能するように、外周が螺子切られている。また、この虫螺子５６の一端は、小型六角レンチを挿し込んで螺子回しができるように、小型六角レンチ挿し込み用開口部５６１が設けられている。また、この虫螺子５６の他端は、螺子回しすることによって上記した第一対面部位５５３ａから出没する虫螺子端部５６２を備える。
このため、回動レバー５５には、この虫螺子５６を螺合状態で埋没するように虫螺子孔５５４が設けられている。この虫螺子孔５５４の内周は、上記した虫螺子５６と螺合するように、雌螺子として機能するように螺子切られている。このようにして、虫螺子５６は、虫螺子孔５５４に対して螺合状態で回動レバー５５に対して埋設されるようになっており、螺子回しすることによって上記した第一対面部位５５３ａから虫螺子端部５６２を出没させることができる。
ここで、図５および図７に示すように、第一対面部位５５３ａから突出する虫螺子端部５６２は、当接球５２を押圧するに際して当接球５２に当接して押圧する「回動レバーの押圧部」に設定される個所である。このため、この第一対面部位５５３ａから突出する虫螺子端部５６２の突出量は、当接球５２を押圧する際の回動レバー５５の押圧力の依拠する物理量となっている。つまり、回動レバー５５が当接球５２を押圧する押圧力は、第一対面部位５５３ａから突出する虫螺子端部５６２の突出量にて調整することができるものとなっている。
また、図６に示すように、回動レバー５５が押圧解除位置Ｔ２に位置している場合には、回動レバー５５と当接球５２との間に当接球５２が逃げれる逃げ空間Ｓが形成されるように、当接球５２と対面する第二対面部位５５３ｂには、逃げ凹溝５５５が設けられている。この逃げ凹溝５５５は、回動レバー５５が押圧解除位置Ｔ２に位置している場合に、当接球５２が逃げれる空間を適切に確保することを鑑みて形成されている。
【００２３】
次に、当接球５２を押圧する際の回動レバー５５の押圧部となる虫螺子端部５６２について、図７を参照しながら詳細に説明する。
すなわち、回動レバー５５の押圧部となる虫螺子端部５６２は、図７に示すように回動レバー５５が押圧位置Ｔ１に位置している場合には、外筒３１により回動可能に支持される回動レバー５５の回動支持点Ｃより上方に位置するように設定されている。
これによって、回動レバー５５が押圧位置Ｔ１に位置して、回動レバー５５の虫螺子端部５６２が当接球５２に当接して当接球５２を押圧している場合には、この押圧による当接球５２からの反力Ｆは、回動支持点Ｃより上方に位置する回動レバー５５の押圧部となる虫螺子端部５６２に対して押すように作用することとなる。つまり、反力Ｆの作用によって、押圧位置Ｔ１に位置する回動レバー５５の上部（回動支持点Ｃの上方）は、当接球５２から離間する方向（紙面左方）に付勢されることとなり、もって回動レバー５５を押下げ方向Ｄ１に回動させるようになる。
【００２４】
以上説明したように、この学童用椅子１０の脚柱３０の構造によれば、次のような作用効果を奏することができる。
すなわち、この学童用椅子１０の脚柱３０の構造によれば、回動レバー５５が押圧位置Ｔ１で当接球５２を押圧する場合には、当接球５２は被押圧部４３に対し嵌り込んだ状態で被押圧部４３を押圧することによって挿し込み状態の内筒４１を外筒３１に対して固定するので、回動レバー５５を押圧位置Ｔ１に位置させるだけで、挿し込み状態の内筒４１を外筒３１に対して固定することができる。また逆に、回動レバー５５が押圧解除位置Ｔ２で当接球５２の押圧を解除している場合には、当接球５２は貫通窓３３を通じて外筒３１内から外筒３１外に出ることによって挿し込み状態の内筒４１を外筒３１に対して移動可能状態とするので、回動レバー５５を押圧解除位置Ｔ２に位置させるだけで、挿し込み状態の内筒４１を外筒３１に対して移動可能状態とすることができる。
これによって、回動レバー５５を、上記した押圧位置Ｔ１あるいは押圧解除位置Ｔ２に位置させるように切替え回動するだけで、従前のようなロック金具の取外しおよび取付けをすることなく、従前のようなボルトを螺子外しおよび螺子止めをすることなく、外筒３１に対して挿し込み状態の内筒４１を固定したりあるいは移動可能状態としたりすることができる。また、位置切替押圧部材としての回動レバー５５は、ロック金具やボルトのように取外すことなく回動させるだけで、外筒３１に対して挿し込み状態の内筒４１を固定したりあるいは移動可能状態としたりすることができるので、取外し後の部材管理の必要もなくなる。
したがって、この学童用椅子１０の脚柱３０の構造によれば、内筒４１と外筒３１との相対位置を決めて互いを固定する作業を、回動レバー５５の位置の切替え回動だけと簡単なものにすることができ、脚柱３０の長さを調節するに際しての作業性を向上させることができる。
【００２５】
また、この学童用椅子１０の脚柱３０の構造によれば、回動レバー５５は、回動可能に外筒３１に支持され且つ回動することにより押圧位置Ｔ１と押圧解除位置Ｔ２との間の位置を切り替えるように構成されているので、回動させるだけで、上記した押圧位置Ｔ１と押圧解除位置Ｔ２との間を切り替えることができる。これによって、上記した押圧位置Ｔ１と押圧解除位置Ｔ２との間で切り替えるのを回動による簡単なものとすることができ、作業性を向上させる。
また、この学童用椅子１０の脚柱３０の構造によれば、当接球５２は球体で形成される当接球５２にて構成され、被押圧部４３は当接球５２の球体形状に対応した曲面形状を有して構成されているので、当接球５２が被押圧部４３に対し嵌り込んだ状態で被押圧部４３を押圧した場合には、回動レバー５５にて押圧される押圧力は、曲面法線方向に向かってかかることとなる。すなわち、当接球５２を介して回動レバー５５により被押圧部４３を押圧するにあたって、この押圧を上下左右方向に拡げて押圧することができる。これによって、外筒３１に対して挿し込み状態の内筒４１を固定するにあたって、この挿し込み状態の内筒４１を上下左右方向に拡げた押圧により安定的に固定することができる。
また、この学童用椅子１０の脚柱３０の構造によれば、回動レバー５５が押圧解除位置Ｔ２に位置することにより当接球５２の押圧を解除している場合には、回動レバー５５と当接球５２との間には当接球５２が逃げれる逃げ空間Ｓが形成されているので、球体で形成される当接球５２は貫通窓３３から逃げ空間Ｓに逃げるにあたって転がって逃げ易くなる。これによって、回動レバー５５を押圧解除位置Ｔ２に位置させた場合には、当接球５２が外筒３１内から外筒３１外に出易くして、挿し込み状態の内筒４１を外筒３１に対して簡単に移動可能状態とすることができる。
【００２６】
また、この学童用椅子１０の脚柱３０の構造によれば、回動レバー５５内には螺合状態で埋没し且つ螺子回しすることにより対面部位から出没する虫螺子５６が配設されており、当接球５２を押圧する回動レバー５５の押圧力は第一対面部位５５３ａから突出する虫螺子端部５６２の突出量にて調整可能となっているので、上記したように回動レバー５５が当接球５２を介して被押圧部４３を押圧するにあたっての押圧力を、虫螺子５６の螺子回し配置調整によって調整することができる。これによって、虫螺子５６を螺子回し配置調整を行うだけで、回動レバー５５の押圧力の調整を簡単に行うことができる。したがって、大量生産時において回動レバー５５の回動精度にバラつきが生じ易くなってしまう場合でも、虫螺子５６の螺子回し配置調整によって、回動レバー５５の押圧力を適切な押圧力とするように簡単に調整することができる。
【００２７】
また、この学童用椅子１０の脚柱３０の構造によれば、回動レバー５５が押圧位置Ｔ１に位置している場合には、当接球５２を押圧する際の回動レバー５５の押圧部は、外筒３１により回動可能に支持される回動レバー５５の回動支持点Ｃより上方に位置するように設定されているので、回動レバー５５が当接球５２を押圧している場合の押圧による当接球５２からの反力Ｆは、回動レバー５５を押下げ方向Ｄ１に回動させるように回動レバー５５の押圧部に対して作用することとなる。ここで、回動レバー５５は、押下げ方向Ｄ１で回動させることにより押圧位置Ｔ１に位置し、且つ引上げ方向Ｄ２で回動させることにより押圧解除位置Ｔ２に位置するようになっているので、上記した当接球５２からの反力Ｆによって、回動レバー５５は押圧位置Ｔ１に位置するように付勢されることとなる。
これによって、この学童用椅子１０の脚柱３０の構造によれば、回動レバー５５を押圧位置Ｔ１に位置させている場合には、回動レバー５５は当接球５２からの反力Ｆによって押圧位置Ｔ１に位置するように付勢され、この押圧位置Ｔ１に回動レバー５５を安定的に位置させることができる。
【００２８】
なお、本発明に係る家具の脚柱構造にあっては、上記した実施の形態に限定されるものではなく、本発明の要旨を変更しない範囲で適宜に変更することができる。
すなわち、上記した実施の形態にあっては、学童用椅子１０を家具の一例として挙げて、この学童用椅子１０の脚柱３０の構造を説明するものであった。しかしながら、本発明に係る脚柱構造が用いられる家具としては、このような学童用椅子１０の例に限定されることなく、この脚柱構造が用いられる家具としては、適宜の椅子、適宜の机、タンス等が挙げられる。
また、上記した実施の形態にあっては、位置切替押圧部材を回動レバー５５にて構成するものであった。しかしながら、本発明に係る家具の脚柱構造における位置切替押圧部材としては、このような回動レバー５５の例に限定されることなく、例えば、スライド式等の移動により位置切替え可能な様々なレバー機能を有した部材を用いるものであってもよい。
また、上記した実施の形態にあっては、回動レバー５５は、押下げ方向Ｄ１で回動させることにより押圧位置Ｔ１に位置し、且つ引上げ方向Ｄ２で回動させることにより押圧解除位置Ｔ２に位置するように構成されるものであった。しかしながら、本発明に係る家具の脚柱構造における回動レバーとしては、このような回動レバーの例に限定されることなく、例えば水平方向に回動させる構成であってもよく、押圧位置や押圧解除位置に関しても適宜の位置で設定されるものであってよい。
【符号の説明】
【００２９】
１０  学童用椅子（家具）
２０  脚
２１  接面脚
２２，２３，２４，２５  接面具
２６，２７  サイド中間部
３０  脚柱
３１  外筒
３１ａ  外筒の下部
３１ｂ  外筒の上部
３２  開口部
３３  貫通窓
４１  内筒
４１ａ  内筒の上部
４１ｂ  内筒の下部
４１ｃ  挿し込み部分
４３  被押圧部
５１  内筒固定機構
５２  当接球（当接部材）
５３  支持ブラケット
５３１  接合部
５３２  支持部
５３３  連通窓
５３４，５３５  支持孔
５４  回動軸
５４１  虫螺子挿通孔
５５  回動レバー
５５ａ  回動レバーの一端
５５ｂ  回動レバーの他端
５５１  軸支孔
５５２  引掛け溝
５５３  対面部位
５５３ａ  第一対面部位
５５３ｂ  第二対面部位
５５４  虫螺子孔
５６  虫螺子
５６１  小型六角レンチ挿し込み用開口部
５６２  虫螺子端部
５７  外嵌カバー
６１  樹脂製介在部材
６２  外フランジ部
６３  貫通部
７０  座
８０  背凭れ
８１  背凭れ本体
８２  連結部
Ｄ１  押下げ方向
Ｄ２  引上げ方向
Ｆ  反力
Ｃ  回動支持点
Ｓ  逃げ空間
Ｔ１  押圧位置
Ｔ２  押圧解除位置
【図１】
2011004789.tif 000003
【図２】
2011004789.tif 000004
【図３】
2011004789.tif 000005
【図４】
2011004789.tif 000006
【図５】
2011004789.tif 000007
【図６】
2011004789.tif 000008
【図７】
2011004789.tif 000009